【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】
上面を有する筐体と、
この筐体に収容され、上記上面に露出される情報の表示面を含む表示部と、
上記筐体に収容され、通信用のアンテナ、マイクおよびレシーバを有する無線通信手段と、
上記筐体に支持され、上記表示面を覆う第１の位置と、上記表示面を露出させる第２の位置とに亘って移動可能なカバーと、を備えている携帯形情報機器において、
上記無線通信手段のマイクおよびレシーバは、上記筐体の上面において上記表示面を挟んだ両側に振り分けて配置され、上記カバーで覆われることなく上記筐体の上面に露出されているとともに、
上記カバーは、透明な窓部を有し、この窓部は、上記カバーが上記第１の位置に移動された時に上記表示面と向かい合う部分に位置されていることを特徴とする携帯形情報機器。
【請求項２】
請求項１の記載において、上記カバーの窓部は、凸レンズ状の断面形状を有していることを特徴とする携帯形情報機器。
【請求項３】
請求項１の記載において、上記筐体は、電源スイッチボタンおよび上記無線通信手段を操作する操作スイッチボタンを有し、上記電源スイッチボタンおよび上記操作スイッチボタンは、上記筐体の上面に配置されて上記カバーが上記第１の位置に移動されている状態においても、このカバーで覆われることなく上記筐体の上面に露出されていることを特徴とする携帯形情報機器。
【請求項４】
請求項１の記載において、上記筐体は、イヤホーンが取り外し可能に接続されるイヤホーンジャックを有し、また、上記アンテナは、上記筐体に格納される格納位置と、上記筐体の外方に突出される使用位置とに亘って伸縮可能であることを特徴とする携帯形情報機器。
【請求項５】
請求項１の記載において、上記表示面は、情報を手書き入力する入力面としての機能を兼ね備えていることを特徴とする携帯形情報機器。
【請求項６】
請求項１の記載において、上記筐体は、上記表示面とは反対側に位置された平坦な底面を有し、上記カバーは、上記第２の位置から上記筐体の底面に重なり合う第３の位置に向けて移動可能に上記筐体に支持されていることを特徴とする携帯形情報機器。
【請求項７】
請求項３の記載において、上記筐体の上面は、上記表示面の左側に位置された左端部と、上記表示面の右側に位置された右端部とを有し、上記レシーバは、上記上面の左端部に配置されているとともに、上記電源スイッチボタンと上記操作スイッチボタンおよび上記マイクは、上記上面の右端部に配置されており、また、上記アンテナは、上記レシーバに対応して上記筐体の左端部に配置されていることを特徴とする携帯形情報機器。
【請求項８】
請求項５の記載において、上記表示面は、上記カバーが上記第１の位置の状態にある時に、上記窓部から外れる端部を有し、この表示面の端部に複数のアイコンを配置することを特徴とする携帯形情報機器。
【請求項９】
請求項１の記載において、上記筐体は、カード型電子部品が取り出し可能に収容される収容部を有し、この収容部は上記筐体の側面に開口するスロットを備えていることを特徴とする携帯形情報機器。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明の目的は、カバーを第２の位置に移動させることなく、表示面上に表示された情報を見ることができ、使い易い操作性を実現できる携帯形情報機器を得ることにある。
【手続補正５】
【補正対象書類名】明細書
【補正対象項目名】００１２
【補正方法】変更
【補正の内容】
【００１２】
【課題を解決するための手段】
上記目的を達成するため、本発明の一つの形態に係る携帯形情報機器は、
上面を有する筐体と、
この筐体に収容され、上記上面に露出される情報の表示面を含む表示部と、
上記筐体に収容され、通信用のアンテナ、マイクおよびレシーバを有する無線通信手段と、
上記筐体に支持され、上記表示面を覆う第１の位置と、上記表示面を露出させる第２の位置とに亘って移動可能なカバーと、を備えている。
そして、上記無線通信手段のマイクおよびレシーバは、上記筐体の上面において上記表示面を挟んだ両側に振り分けて配置され、上記カバーで覆われることなく上記筐体の上面に露出されているとともに、
上記カバーは、透明な窓部を有し、この窓部は、上記カバーが上記第１の位置に移動された時に上記表示面と向かい合う部分に位置されていることを特徴としている。


【手続補正６】
【補正対象書類名】明細書
【補正対象項目名】００１３
【補正方法】変更
【補正の内容】
【００１３】
このような構成の携帯形情報機器において、カバーを第１の位置に移動させると、このカバーによって表示面が覆われる。この時、カバーの透明な窓部が表示面と向かい合うので、この窓部を通じて表示面を筐体の外方に露出させることができる。
この結果、カバーを第２の位置に移動させなくとも、表示面上に表示された情報を確認したり閲覧することができ、機器の使い勝手が良好となる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００８４
【補正方法】変更
【補正の内容】
【００８４】
したがって、保護カバー１０９は、ヒンジケース１１１が凹部１３５ａ，１３５ｂに嵌合されている状態において、上記第１の凸部１１６ａと第１の軸部１２５ａとを支点として、上記筐体２の入力面６５を覆う第１の位置と、この入力面６５を露出させる第２の位置とに亘って回動可能に上記筐体２のベースカバー１１に支持されている。
それとともに、上記ヒンジケース１１１を凹部１３５ａ，１３５ｂから引き出すと、このヒンジケース１１１自体が上記第２の凸部１１６ｂと第２の軸部１２５ｂを支点として回動する。そのため、上記保護カバー１０９は、上記第２の凸部１１６ｂと第２の軸部１２５ｂを支点として、上記第２の位置から筐体２の底壁３側に反転する第３の位置に向けて回動可能に上記筐体２のベースカバー１１に支持されている。


【手続補正１６】
【補正対象書類名】明細書
【補正対象項目名】００８５
【補正方法】変更
【補正の内容】
【００８５】
保護カバー１０９を第１の位置に回動させた状態では、この保護カバー１０９は、上記ベースカバー１１の上壁４の左端部４ａと右端部４ｂとの間に位置されている。そのため、上壁４の上面に配置された電源スイッチボタン７６、電話スイッチボタン７８、通話スイッチボタン７９、終了スイッチボタン８０、カーソル操作子８１および通話用のマイク９２とレシーバ９３は、上記保護カバー１０９で覆われることなく常に上壁４の上面に露出されている。そして、保護カバー１０９の左端部は、上壁４の左端部４ａの上面に略面一に連続し、保護カバー１０９と筐体２との一体感が高められている。


【手続補正１７】
【補正対象書類名】明細書
【補正対象項目名】０１１７
【補正方法】変更
【補正の内容】
【０１１７】
【発明の効果】
以上詳述した本発明によれば、カバーの窓部を通じて表示面を筐体の外方に露出させることができる。そのため、カバーを第１の位置から第２の位置に移動させなくとも、表示面上に表示された情報を確認したり閲覧することが可能となり、機器の使い勝手が良好となる。


【手続補正１８】
【補正対象書類名】明細書
【補正対象項目名】０１１８
【補正方法】削除
【補正の内容】
【手続補正１９】
【補正対象書類名】明細書
【補正対象項目名】０１１９
【補正方法】削除
【補正の内容】
【手続補正２０】
【補正対象書類名】明細書
【補正対象項目名】符号の説明
【補正方法】変更
【補正の内容】
【符号の説明】
２…筐体、６１…表示部（ＬＣＤ）、６３…表示面、９０…無線通信手段（無線通信ユニット）、９１…アンテナ（アンテナユニット）、９２…マイク、９３…レシーバ、１０９…カバー（保護カバー）、１４１…窓部。